(57)【要約】【課題】扉表面においてガラスやアクリル板等の透明板材を中央に設けるとともに、透明板材と框の表面を面一にすることで美観に優れ、エレベーター等にも使用できる扉を提供する事を課題とする。【解決手段】本発明の扉は、左右両側に段部が形成された透明板材と、該透明板材の両側に位置しその内側面に凹溝を形成した縦框とを、該透明板材の段部が縦框の内側面に設けた凹溝に嵌合するよう一体化したことを特徴とし、更に、該透明板材の段部を縦框の凹溝に嵌合したときに、縦框の表面と透明板材の表面とが面一になるよう透明板材の段部と縦框の凹溝とが形成されたことを特徴とする。【選択図】図２
2006249845.tif 000002
【特許請求の範囲】
【請求項１】
左右両側に段部が形成された透明板材と、該透明板材の両側に位置しその内側面に凹溝を形成した縦框とを、該透明板材の段部が縦框の内側面に設けた凹溝に嵌合するよう一体化した扉。
【請求項２】
上記透明板材の段部を縦框の凹溝に嵌合したときに、縦框の表面と透明板材の表面とが面一になるよう透明板材の段部と縦框の凹溝とが形成された請求項１記載の扉。
【請求項３】
上記透明板材の裏面上下部に透明板材の巾と等しい長さの横框を配し、横框と縦框とが適宜の方法で固定されている請求項１ないし請求項２いずれか記載の扉。
【請求項４】
上記左右の縦框および透明板材のそれぞれの上下頂面に扉の巾と等しい長さの連結材を配し、該連結材で左右の縦框と透明板材とを一体に固定した請求項１ないし請求項３いずれか記載の扉。
【発明の詳細な説明】
【技術分野】
【０００１】
本発明は、扉に関するものであり、中央部に透明板材を設け、透明板材と周囲の扉部材との間に段差のない扉であり、さらに詳しくは表面が面一に形成されており、一般の扉だけでなくエレベーター扉としても使用できる扉に関する。
【背景技術】
【０００２】
従来、扉に鏡板を組み込んだ扉や鏡板として透明材を組み込んだ扉は広く知られている。又、このような扉をエレベーター扉に使用したものも知られている。
【特許文献１】特開２００３−１６１０７８号公報（第４頁、図２）
【特許文献２】特開２００４−６０２４０号公報（第４頁、図１）
【特許文献３】特開平９−２４０９７０号公報（第３頁、図２）
【発明の開示】
【発明が解決しようとする課題】
【０００３】
上記特許文献１に記されている扉は木質扉に反りが生じるのを防止することを目的とするもので縦框に使う木質繊維板の一方の面に断面Ｖ字状の切込みを入れて折り合わせたものであり鏡板と框材との間の段差をなくするものでない。特許文献２に記載されたものは施工場所に合わせてサイズを調整できるもので、リフォームに適したものであるが、特許文献１と同様鏡板と框の間の段差をなくするものでない。
【０００４】
特許文献３はエレベーターのドアに関するものでドアの一部に窓ガラスのような透明部材を接着剤で固定するもので美観に優れるが透明部材の取替えに手間が掛るものであり、又透明部材は表面と面一に形成されるものでない。本発明は扉表面において透明板材を中央に設けるとともに、透明板材と框の表面を面一にすることで美観に優れた扉を提供するものである。
【課題を解決するための手段】
【０００５】
上記課題を解決するために、本発明に係る扉の第一の特徴構成は、請求項１に記載した如く、左右両側に段部が形成された透明板材と、該透明板材の両側に位置しその内側面に凹溝を形成した縦框とを、該透明板材の段部が縦框の内側面に設けた凹溝に嵌合するよう一体化した点にある。
【０００６】
同第二の特徴構成は、請求項２に記載した如く、第一の特徴構成に加えて上記透明板材の段部を縦框の凹溝に嵌合したときに、縦框の表面と透明板材の表面とが面一になるよう透明板材の段部と縦框の凹溝とが形成された点にある。
【０００７】
同第三の特徴構成は、請求項３に記載した如く、透明板材の裏面上下部に透明板材の巾と等しい長さの横框を配し、横框と縦框とが適宜の方法で固定されている点にある。
【０００８】
同第四の特徴構成は、請求項４に記載した如く、左右の縦框および透明板材のそれぞれの上下頂面に扉の巾と等しい長さの連結材を配し、該連結材で左右の縦框と透明板材とを一体に固定した点ある。
【発明の効果】
【０００９】
請求項１に記載の扉は前記構成であり、中央部に透明板材を、該透明板材の左右両側に透明板材の長さと等しい長さの框材が配された扉であるから、扉の中央部が上部から下部まで透明板材が設けられた美観の優れた扉が得られる。
【００１０】
請求項２に記載の扉は前記構成であるので、扉の表面から見た場合、縦框の表面と透明板材とが面一となり、透明板材の周囲に段差が生じないのですっきりとした外観が得られる。
【００１１】
請求項３に記載の扉は前記構成であるので、透明板材の裏面上下に横框が配されることになり、透明板材がより一層堅固に支持される。
【００１２】
請求項４に記載の扉は前記構成であり、連結材で左右の縦框を透明板材を介して連結するので左右の縦框と透明板材とを堅固に挟着固定することができる。
【発明を実施するための最良の形態】
【００１３】
以下、本発明の実施形態について図面を参照して、詳細に説明する。図１ないし図５は本発明に係る扉の実施例を示すものである。図1はガラスやアクリル板などの透明板材１と主に木質系の縦框２の配置を示すものであり、図２に示すように透明板材１はその側面に段部１１が形成されており、該段部１１、１１が        それぞれの縦框２、２の内側面に設けられた凹溝２１、２１と嵌合されるとともに該両者が接着剤やビスその他適宜の方法で一体にされることにより扉５が構成される。該扉５は１枚の板から構成された他の扉（図示せず）と異なりストライブ模様の扉が形成され美観に富むものである。該扉５は取付け場所や目的に応じて引き手、車輪、吊具等の部材を取付けて使用される。
【００１４】
図２に示すように扉５の表面は縦框２の表面と透明板材１とのが面一になっており、このため透明板材１の周囲に段差が生じないのでゴミ等が溜まることがなく清掃が容易となる。この場合透明板材１が薄いと透明板材１の段部１１の厚みが小となり、少しの外力で透明板材１の段部１１が破壊されるので、透明板材１は少なくとも５ｍｍ以上の厚みのあるものを使用するのが好ましい。
【００１５】
図３は透明板材１の裏面上下部に横框３を配した扉５を示すものであり、この横框３は透明板材１の左右に位置する縦框２と接着剤やビスあるいはホゾ結合などその他の適宜の方法で連結固定されている。図４は図３におけるＡ−Ａ線より下方を見た場合の配置図であってこの横框３の配置を示したものである。横框３は透明板材１の裏面に配されているので透明板材１の上下を補強する。
【００１６】
図５は透明板材１とその左右の縦框２、２を連結材４で一体化した扉５を示すものである。この連結材４は図５に示すように縦框２、２および透明板材１のそれぞれの頂面全域に形成されている。該連結材４は扉５の上下部にのみ位置するので透明板材１の外観を損なうものでなくさらに透明板材１を左右の縦框２、２で強固に挟着一体化することができる。
【００１７】
図６では本実施例にかかる扉５を、エレベーターに応用したものを示している。エレベーターの扉は建物の躯体７側の扉５とエレベーター室６の扉５とが二重になり連動するように構成されているので、それぞれの扉５の裏側は人目につかないものである。そのためエレベーター室６側に扉５の面一の面がくるように配し、さらに躯体７のエレベーターの入り口側にも扉５の面一の面を配している。
【００１８】
このようにすることで透明板材１を通してエレベーター室６内に人がいることを躯体７側から視認でき、又エレベーターに多くの人が乗り透明板材１に寄りかかる事があっても該透明板材１は縦框２や横框３あるいは連結材４で支持されているから安全であり、しかも扉５は表面が面一になっているのでゴミや砂が溜まることがなく清掃が容易ものであり、美観の優れたものである。
【図面の簡単な説明】
【００１９】
【図１】本発明に係る扉の一実施例を示す正面図である。
【図２】図１に示す扉の水平横断面図である。
【図３】他の実施例を示し、透明板材の裏面上下に横框を配した扉の正面図である。
【図４】図３におけるＡ−Ａ線より下方を見た場合の各部材の配置図である。
【図５】本発明の別の実施例を示す斜視図である。
【図６】エレベーターに応用した例を示す水平横断面図である。
【符号の説明】
【００２０】
１      透明板材
１１    透明板材の側面の段部
２      縦框
２１    縦框内側面に設けた凹溝
３      横框
４      連結材
５      扉
６      エレベーター室
７      躯体
【図１】
2006249845.tif 000003
【図２】
2006249845.tif 000004
【図３】
2006249845.tif 000005
【図４】
2006249845.tif 000006
【図５】
2006249845.tif 000007
【図６】
2006249845.tif 000008